(57)【要約】【課題】ランプ灯数の異なる種類の照明器具11で、本体16およびルーバ体17を共通化できる照明器具11を提供する。【解決手段】反射体15の中央域のランプ配置部35の幅を側部域のランプ配置部36よりも広くする。反射体15の中央域に臨むルーバ体17の中央域の開口部43aの幅を、反射体15の側部域に臨むルーバ体17の側部域の開口部43bの幅よりも広くする。中央域のランプ配置部35に側部域よりも多くの灯数の片口金形ランプ21を並列に配置可能とする。中央域のランプ配置部35に配置する片口金形ランプ21の灯数を任意に選択することにより、ランプ灯数の異なる種類の照明器具11で、本体16およびルーバ体17を共通化できる。【選択図】図１
2007294316.tif 000002
【特許請求の範囲】
【請求項１】
器具本体と；
器具本体の中央域および両側の側部域の各域にランプが配置されるランプ配置部が形成されているとともに、中央域のランプ配置部の幅は側部域のランプ配置部よりも多くの灯数のランプが並列に配置可能に側部域のランプ配置部の幅よりも広く形成されている反射体と；
反射体の中央域に臨む開口部および両側の側部域に臨む開口部が形成されるとともに中央域の開口部の幅が側部域の開口部の幅よりも広く形成されているルーバ体と；
を具備していることを特徴とする照明器具。
【発明の詳細な説明】
【技術分野】
【０００１】
本発明は、ランプ灯数の異なる種類に器具本体やルーバ体を共通化できる照明器具に関する。
【背景技術】
【０００２】
従来、照明器具としては、例えば、器具本体および反射体を含む本体、および反射体の下面開口に配置されるルーバ体を備えた３灯用または４灯用の天井埋込形照明器具などがある。この照明器具では、３灯用および４灯用共に、反射体内には各灯数の片口金形ランプや直管形ランプなどのランプが並列かつ等間隔に配置され、ルーバ体には各ランプに対向する開口部が等間隔に形成されている。
【０００３】
このような照明器具では、３灯用と４灯用とで外形寸法が同じ場合があるが、３灯用と４灯用とで反射体内のランプ配置部の区画が異なるとともにルーバ体の開口部の数が異なるため、本体およびルーバ体は３灯用と４灯用とでそれぞれ専用品が用いられている。そのため、本体およびルーバ体の品種が多くなる不都合があり、また、３灯用と４灯用とを混在して設置する場所では、本体とルーバ体との組み合わせの間違いが発生するおそれがある。
【０００４】
また、３灯用の本体と４灯用の本体とに共通に組み合わせて使用できるルーバ体がある。このルーバ体には、一辺に沿った方向に３つの開口部が形成され、交差する辺に沿った方向に４つの開口部が形成されており、３灯用の本体には、３本のランプの並列方向にルーバ体の３つの開口部の並列方向を合わせてルーバ体を取り付け、また、４灯用の本体には、４本のランプの並列方向にルーバ体の４つの開口部の並列方向を合わせてルーバ体を取り付ける。すなわち、３灯用と４灯用とでルーバ体を９０°回動させて取り付けることにより、ルーバ体を共通に使用できるようにしている。この場合、本体側では、３灯用は３本のランプを等間隔に配置し、４灯用はランプを２本ずつ接近させて配置している（例えば、特許文献１参照。）。
【特許文献１】特開２００２−２６０４２０号公報（第４頁、図９−１０）
【発明の開示】
【発明が解決しようとする課題】
【０００５】
従来、３灯用の本体と４灯用の本体とに組み合わせて共通に使用できるルーバ体があるが、本体については３灯用と４灯用とでランプの配置がまったく異なるために共通化されていない。
【０００６】
また、ルーバ体を９０°回動させて取り付けるため、本体およびルーバ体とも外形が正方形に限られ、しかも、仮に器具本体の２辺にルーバ体用の取付構造を設けた場合、９０°回動させて取り付けるルーバ体には４辺の全てに取付構造を備えなければならず、構造が複雑になる問題がある。
【０００７】
本発明は、このような点に鑑みなされたもので、ランプ灯数の異なる種類で本体やルーバ体を共通化できる照明器具を提供することを目的とする。
【課題を解決するための手段】
【０００８】
本発明の照明器具は、器具本体と；器具本体の中央域および両側の側部域の各域にランプが配置されるランプ配置部が形成されているとともに、中央域のランプ配置部の幅は側部域のランプ配置部よりも多くの灯数のランプが並列に配置可能に側部域のランプ配置部の幅よりも広く形成されている反射体と；反射体の中央域に臨む開口部および両側の側部域に臨む開口部が形成されるとともに中央域の開口部の幅が側部域の開口部の幅よりも広く形成されているルーバ体と；を具備しているものである。
【０００９】
照明器具は、例えば、天井埋込形照明器具や天井直付形照明器具などが含まれる。器具本体と反射体とは、別体でも一体でもよい。反射体は、例えば、ランプ配置部の両側に反射面を配置してランプ配置部を区画した場合、中央域のランプ配置部における両側の反射面間の幅が側部域のランプ配置部における両側の反射面間の幅よりも広く形成される。ランプは、例えば、直管形の発光管を有する片口金形ランプや直管形蛍光ランプなどが含まれる。そして、例えば、中央域および側部域の各ランプ配置部にランプを１本ずつ配置することで３灯用の器具本体が構成され、また、中央域のランプ配置部に２本のランプを並列に配置するとともに側部域の各ランプ配置部にランプを１本ずつ配置することで４灯用の器具本体が構成される。ルーバ体は、例えば、各ランプ配置部間に縦ルーバが配設されてランプ並列方向の遮光角を制御し、さらに、各ランプ配置部の並ぶ方向に対して交差する方向にも複数の横ルーバが配設されてランプ並列方向と交差する方向の遮光角を制御する。ルーバ体は、３灯用と４灯用とで共用する場合、４灯用を基準として遮光角などを設定することが好ましい。
【発明の効果】
【００１０】
本発明の照明器具によれば、反射体の中央域のランプ配置部の幅を側部域のランプ配置部よりも広くし、その中央域のランプ配置部に側部域よりも多くの灯数のランプを並列に配置可能とするため、中央域のランプ配置部に配置するランプの灯数を任意に選択するだけで、ランプ灯数の異なる種類の照明器具の本体を容易に構成でき、照明器具の本体を共通化できる。さらに、反射体の中央域に臨むルーバ体の中央域の開口部の幅を、反射体の側部域に臨むルーバ体の側部域の開口部の幅よりも広くしたため、ランプ灯数の異なる種類の本体に対してルーバ体を共通化でき、本体とルーバ体との誤った組み合わせが発生するのを防止できる。
【発明を実施するための最良の形態】
【００１１】
以下、本発明の一実施の形態を図面を参照して説明する。
【００１２】
図１は４灯用の照明器具の分解状態の断面図、図２は４灯用の照明器具の組立状態の断面図、図３は４灯用の照明器具の底面図、図４は３灯用の照明器具の分解状態の断面図、図５は３灯用の照明器具の組立状態の断面図、図６は３灯用の照明器具の底面図である。
【００１３】
照明器具11は、４灯用と３灯用とに共用可能で、天井板12に形成された正方形の埋込開口13に埋め込み設置される正方形の天井埋込形照明器具で、電装ユニットである器具本体14およびこの器具本体14に取り付けられる反射体15を含む本体16と、この本体16の反射体15の下面開口に着脱可能に配置されるルーバ体17を備えている。
【００１４】
この照明器具11では、直管形の発光管19を有するとともに長手方向の一端側のみに口金20を有するランプとしての片口金形ランプ21が、４灯用の場合には４本用いられ、３灯用の場合には３本用いられる。
【００１５】
また、器具本体14は、天井板12の上方の天井構造物に配設される吊ボルトやシステム天井のチャンネルなどに取り付けられる。器具本体14の下面の一端縁部には片口金形ランプ21用の複数のソケット23が配列され配置され、両側には片口金形ランプを点灯させる点灯装置24が配置され、内側には器具内に引き込まれる電源線などを接続する端子台25が配設されている。これらソケット23と点灯装置24と端子台25との間が配線によって電気的に接続されて電装ユニットが構成されている。ソケット23は、４灯用の場合には４個が配列されるとともに中央の２個は接近もしくは接触して配列され、３灯用の場合には３個が等間隔に配列される。
【００１６】
また、反射体15は、反射板27と両端の端板28とで下面開口29を有する枠状に形成され、この下面開口29の周囲には天井板12に当接する縁部30が形成されている。反射板27には、器具本体14に取り付けられる天板部31が形成され、この天板部31の両側から反射面32が傾斜状に形成されている。反射板27の天板部31の内面には、両外側面を反射面33とする断面略Ｖ字形の２つのカバー34が間隔をあけて取り付けられている。
【００１７】
反射体15内は２つのカバー34によって中央域と両側の側部域とに区画され、それら中央域および両側の側部域の各域に片口金形ランプ21が並列に配置されるランプ配置部35，36が形成されている。中央域のランプ配置部35の幅は側部域のランプ配置部36の幅よりも広く形成され、すなわち、ランプ中心を通る仮想線上で比較すれば、中央域のランプ配置部35における両側の反射面33，33間の幅a1は側部域のランプ配置部36における両側の反射面32，33間の幅a2よりも広く形成されている。これにより、４灯用の場合には、側部域のランプ配置部36には片口金形ランプ21が１本ずつ配置され、中央域のランプ配置部35には側部域のランプ配置部36よりも１本多い２本の片口金形ランプ21が並列に配置される。また、３灯用の場合には、各ランプ配置部35，36とも片口金形ランプ21が１本ずつ配置される。
【００１８】
反射板27の天板部31の一端側には、各ランプ配置部35，36の位置に対応して図示しないソケット挿通孔が形成され、器具本体14の各ソケット23が各ソケット挿通孔を挿通して各ランプ配置部35，36に配置されている。中央域のランプ配置部35の位置に対応したソケット挿通孔は、２つのソケット23が挿通可能とする寸法に形成されている。
【００１９】
各ランプ配置部35，36には、天板部31の内面に、片口金形ランプ21の発光管19の先端側近傍を着脱可能に保持する図示しないランプホルダが配設されている。
【００２０】
また、ルーバ体17は、ランプ長手方向に沿った縦ルーバ枠38とランプ長手方向に対して交差する方向に沿った横ルーバ枠39とで形成される四角形枠状の枠部40を有し、この枠部40が反射体15の下面開口29の内側に嵌め込まれるとともに、図示しないＶばねなどの取付手段によって反射体15に着脱可能に取り付けられる。枠部40の内側には、反射体15の中央域のランプ配置部35と両側の側部域のランプ配置部36との間であって各カバー34の位置に対応してランプ長手方向に沿って２つの縦ルーバ41が配設され、ランプ長手方向に対して交差する方向に沿って２つの横ルーバ42が配設されている。各ルーバ41，42は、断面略Ｖ字形に形成され、井桁状に組み合わされている。
【００２１】
ルーバ体17の内側には、各ルーバ41，42により縦横方向に３つずつの開口部43が形成されている。そして、ランプ長手方向に対して交差する方向においては、２つの縦ルーバ41により、中央域の開口部43aと両側の側部域の開口部43bとが形成されており、中央域の開口部43aの幅b1が側部域の開口部43bの幅b2よりも広く形成されている。また、ランプ長手方向においては、２つの横ルーバ42により、中央域の開口部43cと両端の側部域の開口部43dとが形成されており、中央域の開口部43cの幅は側部域の開口部43dの幅よりも広くても同じでもよいが、中央域の開口部43cの幅を広くすることによりランプ長手方向に対して交差する方向の幅とのバランスがよく、意匠性が向上する。
【００２２】
このルーバ体17の遮光角の設定は、４灯用を基準として設定され、これにより、３灯用の場合には十分な遮光角を設定できる。
【００２３】
そして、図１ないし図３に示すように、４灯用の照明器具11の本体16を構成する場合には、器具本体14の中央域に２つのソケット23を配設するとともに側部域にソケット23を１つずつ配設し、器具本体14に各２灯用の点灯装置24を配設し、４灯用の電装ユニットとする。
【００２４】
反射体15の各ランプ配置部35，36にランプホルダを配設するとともに中央域のランプ配置部35のみには２つのランプホルダを配設する。
【００２５】
これら器具本体14と反射体15とを組み合わせることにより、中央域のランプ配置部35には２つのソケット23およびランプホルダを配置し、４灯用の照明器具11の本体16を構成する。
【００２６】
また、図４ないし図６に示すように、３灯用の照明器具11の本体16を構成する場合には、器具本体14の中央域および側部域の各域にソケット23を１つずつ配設し、器具本体14に１灯用と２灯用の点灯装置24を配設し、３灯用の電装ユニットとする。
【００２７】
反射体15の各ランプ配置部35，36にランプホルダを１つずつ配設する。
【００２８】
これら器具本体14と反射体15とを組み合わせ、３灯用の照明器具11の本体16を構成する。
【００２９】
このように、この照明器具11では、反射体15の中央域のランプ配置部35の幅を側部域のランプ配置部36よりも広くし、その中央域のランプ配置部35に側部域よりも多くの灯数の片口金形ランプ21を並列に配置可能としているため、器具本体14や反射体15などの基本構造は共通のまま、中央域のランプ配置部35に配置する片口金形ランプ21の灯数を任意に選択するなどの簡単な変更だけで、ランプ灯数の異なる種類の照明器具11の本体16を容易に構成でき、照明器具11の本体16を共通化できる。
【００３０】
そして、照明器具11を設置する場合には、天井板12の埋込開口13に本体16を挿入して設置する。各ソケット23に各片口金形ランプ21の口金20を接続するとともに各ランプホルダに片口金形ランプ21の発光管19を取り付け、反射体15の下面開口29にルーバ体17を組み込んで取り付ける。
【００３１】
このとき、反射体15の中央域に臨むルーバ体17の中央域の開口部43aの幅を、反射体15の側部域に臨むルーバ体17の側部域の開口部43bの幅よりも広くしているため、ランプ灯数の異なる種類の本体16に対してルーバ体17を共通化でき、本体16とルーバ体17との誤った組み合わせが発生するのを防止できる。
【００３２】
なお、中央域のランプ配置部35に配置するランプ灯数は、１本または２本に限らず、３本以上でもよい。
【００３３】
また、ランプは、片口金形ランプ21に限らず、直管形蛍光ランプなどでもよい。
【００３４】
また、器具本体14と反射体15とを別体に構成したが、器具本体14と反射体15とを兼用して一体に構成してもよい。
【００３５】
また、照明器具11は、天井埋込形に限らず、直付形や吊下形などにも同様に適用できる。
【図面の簡単な説明】
【００３６】
【図１】本発明の一実施の形態を示す４灯用の照明器具の分解状態の断面図である。
【図２】同上４灯用の照明器具の組立状態の断面図である。
【図３】同上４灯用の照明器具の底面図である。
【図４】同上３灯用の照明器具の分解状態の断面図である。
【図５】同上３灯用の照明器具の組立状態の断面図である。
【図６】同上３灯用の照明器具の底面図である。
【符号の説明】
【００３７】
11    照明器具
14    器具本体
15    反射体
17    ルーバ体
21    ランプとしての片口金形ランプ
35，36    ランプ配置部
43a，43b    開口部
【図１】
2007294316.tif 000003
【図２】
2007294316.tif 000004
【図３】
2007294316.tif 000005
【図４】
2007294316.tif 000006
【図５】
2007294316.tif 000007
【図６】
2007294316.tif 000008